(57)【特許請求の範囲】
【請求項１】
室内に配置される室内機と、屋外に配置される室外機とを有するヒートポンプ空調機の熱効率を改善するためのヒートポンプ空調機の効率改善装置であって、
地下水の貯留された地下水貯留部であって、熱交換器を有さない地下水貯留部内に配置される地下水汲み上げ用ポンプと、
前記地下水汲み上げ用ポンプに連結され、前記地下水汲み上げ用ポンプで汲み上げられた地下水と外気の間で熱交換を行う熱交換器と、
前記地下水貯留部内の地下水の温度を一定に保つために、前記熱交換器を経た地下水を前記地下水貯留部に戻すことなく、外部装置に供給するための地下水供給管と、を備え、
前記熱交換器は、前記室外機の吸気側に隣接して設けられることを特徴とするヒートポンプ空調機の効率改善装置。
【請求項２】
前記外部装置は、前記地下水供給管に連結され、前記熱交換器を経た地下水を用いて散水可能な散水設備を有することを特徴とする請求項１に記載のヒートポンプ空調機の効率改善装置。
【請求項３】
前記外部装置は、前記地下水供給管に連結され、前記熱交換器を経た地下水を用いる冷却水系統を有することを特徴とする請求項１又は２のいずれかに記載のヒートポンプ空調機の効率改善装置。
【発明の詳細な説明】
【技術分野】
【０００１】
本発明は、室内に配置される室内機と、屋外に配置される室外機とを有するヒートポンプ空調機の熱効率を改善するためのヒートポンプ空調機の効率改善装置に関する。
【背景技術】
【０００２】
従来から、地中熱を利用してヒートポンプ空調機の効率を改善することが試みられている。例えば、地中に埋設された熱交換器により熱媒に地中熱を取り込み、ヒートポンプ空調機の室外機近傍に配置された熱交換器で熱媒から放熱することで、ヒートポンプ空調機の室外機の吸気温度と室内温度の温度差を減少させて、ヒートポンプ空調機の効率を改善することが試みられている（例えば特許文献１及び２参照）。
【０００３】
特許文献１に記載された発明は、地中熱を利用することで、冬季に暖房運転する際に、除霜サイクルを行うことなく、連続的に暖房運転を行うことを可能にしたものである。また、特許文献２に記載された発明は、地中熱を利用して既設のヒートポンプ空調機の効率を改善させるためのものである。
【０００４】
特許文献１に記載された発明は、用途が園芸用に限定されており、一般の家庭や工場に用いることは想定されていない。また、特許文献１に記載された発明では、貯水槽内の水は一度循環ポンプで汲み上げられるが、熱交換器を経て貯水槽に戻されることとなる。
【０００５】
また、特許文献２に記載された発明は、熱媒を地中の熱交換器で循環させて地中熱を取り込むので、地中から熱媒に熱交換を行うために必要な時間が長くなり、効率的に地中熱を活用することができない。また、熱媒が、地中に設置された熱交換器及び地表に設置された熱交換器の各々と１回ずつ、合計２回の熱交換を行うので、熱交換で生じるロスが大きくなってしまっていることが推測される。
【先行技術文献】
【特許文献】
【０００６】
【特許文献１】特開２００９−２３６３２９号公報
【特許文献２】特開２０１１−１４１０７３号公報
【発明の概要】
【発明が解決しようとする課題】
【０００７】
以上のような点に鑑み、本発明は、園芸用に限定されることなく一般の家庭や工場に用いることができ、ヒートポンプ空調機の熱効率をより高くすることのできるヒートポンプ空調機の効率改善装置を提供することを目的とする。
【課題を解決するための手段】
【０００８】
本発明によるヒートポンプ空調機の効率改善装置は、
室内に配置される室内機と、屋外に配置される室外機とを有するヒートポンプ空調機の熱効率を改善するためのヒートポンプ空調機の効率改善装置であって、
地下水の貯留された地下水貯留部であって、熱交換器を有さない地下水貯留部内に配置される地下水汲み上げ用ポンプと、
前記地下水汲み上げ用ポンプに連結され、前記地下水汲み上げ用ポンプで汲み上げられた地下水と外気の間で熱交換を行う熱交換器と、
前記地下水貯留部内の地下水の温度を一定に保つために、前記熱交換器を経た地下水を前記地下水貯留部に戻すことなく、外部装置に供給するための地下水供給管と、を備え、
前記熱交換器が、前記室外機の吸気側に隣接して設けられている。
【０００９】
本発明によるヒートポンプ空調機の効率改善装置において、
前記外部装置は、前記地下水供給管に連結され、前記熱交換器を経た地下水を用いて散水可能な散水設備を有してもよい。
【００１０】
本発明によるヒートポンプ空調機の効率改善装置において、
前記外部装置は、前記地下水供給管に連結され、前記熱交換器を経た地下水を用いる冷却水系統を有してもよい。
【発明の効果】
【００１１】
本発明によれば、ヒートポンプ空調機の室外機の吸気側に隣接して設けられた熱交換器で地下水と外気の間の熱交換を行うだけでなく、熱交換器を経た地下水を地下水貯留部に戻さない。このため、地下水貯留部内の地下水の温度を一定に保ちつつ、熱交換器における地下水と外気の間で熱交換を実施することができる。この結果、ヒートポンプ空調機の熱効率をより高くすることができる。
【図面の簡単な説明】
【００１２】
【図１】本発明の実施の形態によるヒートポンプ空調機の効率改善装置の構成を示した概略構成図。
【発明を実施するための形態】
【００１３】
実施の形態
《構成》
以下、本発明に係るヒートポンプ空調機の効率改善装置の実施の形態について、図面を参照して説明する。ここで、図１は本発明の実施の形態を説明するための図である。
【００１４】
図１に示すように、本実施の形態のヒートポンプ空調機５０の効率改善装置１００は、室内に配置される室内機５１と、屋外に配置される室外機５２とを有するヒートポンプ空調機５０の熱効率を改善するためのものである。また、本実施の形態のヒートポンプ空調機５０の効率改善装置１００は、特許文献１のように園芸用に限定されるものではなく、一般の家庭や工場にも用いることができる。
【００１５】
本実施の形態のヒートポンプ空調機５０の効率改善装置１００は、地下水の貯留された井戸（特許請求の範囲の「地下水貯留部」に該当する。）３０内に配置される地下水汲み上げ用ポンプＰと、地下水汲み上げ用ポンプＰに地下水汲み上げ管４０を介して連結され、地下水汲み上げ用ポンプＰで汲み上げられた地下水と外気の間で熱交換を行う熱交換器１０と、熱交換器１０を経た地下水を井戸３０に戻すことなく外部装置６０，７０に供給するための地下水供給管４５と、を備えている。熱交換器１０は、ヒートポンプ空調機５０の室外機５２の吸気側に隣接して設けられている。
【００１６】
本実施の形態の外部装置６０，７０は、地下水供給管４５に連結され、熱交換器１０を経た地下水を用いて散水可能な散水設備６０と、地下水供給管４５に連結され、熱交換器１０を経た地下水を用いて工場内の設備等を冷却可能な冷却水系統７０とを有している。
【００１７】
熱交換器１０と散水設備６０の間には、散水設備６０に地下水を供給するときには開状態となり、散水設備６０に地下水を供給しないときには閉状態となる散水設備用バルブ６１が設けられている。また、熱交換器１０と冷却水系統７０の間には、冷却水系統７０に地下水を供給するときには開状態となり、冷却水系統７０に地下水を供給しないときには閉状態となる冷却水系統用バルブ７１が設けられている。
【００１８】
《作用・効果》
次に、上述した構成からなる本実施の形態による作用・効果について説明する。
【００１９】
本実施の形態によれば、ヒートポンプ空調機５０の室外機５２の吸気側に隣接して設けられた熱交換器１０で地下水と外気の間の熱交換を行うだけでなく、熱交換器１０を経た地下水を井戸３０に戻さない。このため、井戸３０内の地下水の温度を従来技術と比較して確実に一定に保つことができ、このような地下水を用いて、熱交換器１０で地下水と外気の間の熱交換を実施することができる。この結果、ヒートポンプ空調機５０の熱効率をより高くすることができる。
【００２０】
すなわち、特許文献１及び特許文献２に記載されているような従来技術では、熱交換器を経た地下水が井戸等の地下水貯留部に戻される。このため、地下水貯留部内の地下水の温度が変化してしまうことがある。このように地下水の温度が変化してしまうと、熱交換器における地下水と外気の間の熱交換効率が下がってしまい、ひいては、室内の温度と室外機が吸引する空気の温度の温度差が十分小さくならず、ヒートポンプ空調機の熱効率が下がってしまう。これに対して、本実施の形態によれば、熱交換器１０を経た地下水は散水設備６０又は冷却水系統７０に供給され、井戸３０内に戻されない。このため、井戸３０内の地下水の温度を従来技術と比較して確実に一定に保ちつつ、熱交換器１０で地下水と外気の間の熱交換を実施することができる。この結果、室内の温度と室外機５２が吸引する空気の温度の温度差を十分小さくすることができ、ヒートポンプ空調機５０の熱効率を、特許文献１及び特許文献２に記載されているような従来技術と比較して高めることができる。
【００２１】
また、特許文献２に記載された発明と比較すると、特許文献２に記載された発明では、地中熱と熱媒の間で熱交換を行い、かつ、熱媒と外気の間で熱交換を行うので、熱交換で生じるロスが大きくなってしまうが、本実施の形態によれば、地下水と外気の間の熱交換が１回行われるだけなので、熱交換で生じるロスを小さくすることができる。
【００２２】
次に、ヒートポンプ空調機５０が、冬季で暖房運転されるとき、及び、夏季で冷房運転されるときの各々について説明する。
【００２３】
〈冬季の暖房運転時〉
最初に、ヒートポンプ空調機５０が冬季で暖房運転されるときについて説明する。
【００２４】
まず、地下水汲み上げ用ポンプＰによって地下水が汲み上げられ、当該地下水が熱交換器１０に供給される。なお、地下水は年間を通して温度がほぼ一定となっている。
【００２５】
このように地下水が熱交換器１０に供給されると、熱交換器１０近傍の外気が暖められて、ひいては室外機５２近傍の外気が暖められることとなる。この結果、室内の温度と室外機５２が吸引する空気の温度の温度差が小さくなり、ヒートポンプ空調機５０の熱効率を改善することができる。
【００２６】
そして、熱交換器１０を経た地下水は工場内の設備等を冷却する冷却水系統７０に供給される。このため、工場等で用いられる水道水の使用量や冷凍機の消費電力等を削減することができる。
【００２７】
本実施の形態では、このように熱交換器１０を経た地下水が工場内の設備等を冷却する冷却水系統７０に供給されて井戸３０に戻さないことから、井戸３０内の地下水の温度を従来技術と比較して確実に一定に保ちつつ、熱交換器１０で地下水と外気の間の熱交換を実施することができる。このため、室外機５２近傍の外気を効率よく暖めることができ、ヒートポンプ空調機５０の熱効率をより高くすることができる。
【００２８】
ところで、冷却水系統７０で地下水を用いる場合には、冷却水系統用バルブ７１が開状態となっている。
【００２９】
〈夏季の冷房運転時〉
次、ヒートポンプ空調機５０が夏季で冷房運転されるときについて説明する。
【００３０】
まず、地下水汲み上げ用ポンプＰによって地下水が汲み上げられ、当該地下水が熱交換器１０に供給される。上述したように、地下水は年間を通して温度がほぼ一定となっている。
【００３１】
このように地下水が熱交換器１０に供給されると、熱交換器１０近傍の外気が冷やされ、ひいては室外機５２近傍の外気が冷やされることとなる。この結果、室内の温度と室外機５２が吸引する空気の温度の温度差が小さくなり、ヒートポンプ空調機５０の熱効率を改善することができる。
【００３２】
そして、熱交換器１０を経た地下水は散水設備６０に供給され、当該散水設備６０によって例えば建物の屋根に地下水が散水される。このため、建物自体の温度を下げることができ、建物の室内を冷やすための空調負荷を低減することができる。
【００３３】
本実施の形態では、このように熱交換器１０を経た地下水が散水設備６０に供給されて井戸３０に戻さないことから、井戸３０内の地下水の温度を従来技術と比較して確実に一定に保ちつつ、熱交換器１０で地下水と外気の間の熱交換を実施することができる。このため、室外機５２近傍の外気を効率よく冷やすことができ、ヒートポンプ空調機５０の熱効率をより高くすることができる。
【００３４】
なお、熱交換器１０に導入される外気を冷やすために、当該外気の存在するエリアに散水設備６０によって地下水を散水することもできる。このような態様によれば、熱交換器１０における熱交換効率を向上させることができ、ひいては、ヒートポンプ空調機５０の熱効率をより向上させることができる。
【００３５】
ところで、散水設備６０で地下水を用いる場合には、散水設備用バルブ６１が開状態となっている。
【００３６】
なお、ヒートポンプ空調機５０が夏季で冷房運転され、熱交換器１０を経た地下水が暖まったとしても、当該地下水を冷却水系統７０で用いることは可能である。この場合には、上述したように、工場等で用いられる水道水の使用量や冷凍機の消費電力等を削減することができる。
【符号の説明】
【００３７】
１０        熱交換器
３０        井戸（地下水貯留部）
４０        地下水汲み上げ管
４５        地下水供給管
５０        ヒートポンプ空調機
５１        室内機
５２        室外機
６０        散水設備（外部装置）
６１        散水設備用バルブ
７０        冷却水系統（外部装置）
７１        冷却水系統用バルブ
１００      効率改善装置
Ｐ          地下水汲み上げ用ポンプ
【図１】
0005999476.tif 000002